(57)【特許請求の範囲】
【請求項１】
上部に開口部そして下部に底部を有する金属製の外容器と、内部に密閉自在な収容容器を収容可能な収容空間を有し外周面が外容器の開口部への嵌挿および該開口部からの抜出が可能に形成された主として断熱材から成る内容器と、上記内容器の開口部を封止する主として断熱材から成る内蓋と、外容器の開口部を封止する金属製の外蓋と、該外蓋と外容器とをクランプするクランプ部材とを備えていることとする断熱容器。
【請求項２】
内容器及び内蓋は少なくとも外側面がシールフィルムで覆われていることとする請求項１に記載の断熱容器。
【請求項３】
シールフィルムは樹脂であり厚みが１０μｍ以上、３ｍｍ以下であることとする請求項２に記載の断熱容器。
【請求項４】
シールフィルムは、ポリエチレン樹脂、ポリプロピレン樹脂、ポリ塩化ビニル樹脂、ポリ酢酸ビニル樹脂、アクリルニトリルブタジエンスチレン共重合樹脂、ポリエステル樹脂、それらのうちの一つの変性樹脂または発泡樹脂による単層膜、または二種以上から成る複層膜であることとする請求項３に記載の断熱容器。
【請求項５】
内容器は収容空間を形成する内側面が補強材で覆われていることとする請求項１又は請求項２に記載の断熱容器。
【請求項６】
内蓋は表面の少なくとも一部が補強材で覆われていることとする請求項１に記載の断熱容器。
【請求項７】
補強材の厚みが１ｍｍ以上、５ｍｍ以下であることとする請求項５又は請求項６に記載の断熱容器。
【請求項８】
内蓋はプラスチック材で成形された内部に断熱材が封入されていることとする請求項１に記載の断熱容器。
【請求項９】
断熱材は発泡ポリウレタン、発泡ポリスチレン、発泡ポリエチレン、発泡ポリプロピレン、発泡ポリ塩化ビニル、発泡アクリルニトリルブタジエンスチレン共重合体、発泡フェノール樹脂のうちの１種または２種以上から成ることとする請求項１又は請求項８に記載の断熱容器。
【請求項１０】
補強材はポリエチレン樹脂、ポリプロピレン樹脂、ポリ塩化ビニル樹脂、アクリルニトリルブタジエンスチレン共重合樹脂、それらのうちの一つの変性樹脂又は発泡樹脂より成る単層材、または二種以上から成る複層材であることとする請求項５ないし請求項７のうちの一つに記載の断熱容器。
【請求項１１】
内蓋は内側面に保冷材もしくは保温材を収容するための収容部が形成されていることとする請求項１、請求項６、請求項８のうちの一つに記載の断熱容器。
【請求項１２】
内容器は上部に該内容器の外部への取出しのための掴み手段が設けられていることとする請求項１、請求項２、請求項５、請求項６、請求項８のうちの一つに記載の断熱容器。
【請求項１３】
外容器は、該外容器内外間の空気の流通のための通気口が底部に設けられていることとする請求項１に記載の断熱容器。
【発明の詳細な説明】
【０００１】
【発明の属する技術分野】
本発明は断熱容器に関するものである。
【０００２】
【従来の技術】
容器に内容物を収容し、該内容物を保冷あるいは保温して保管あるいは運搬するときは、冷蔵庫等の保冷または保温装置を使用し、あるいはかかる装置を使用せずに単に断熱材容器に収容して保管、運搬することもある。通常、断熱材容器は発泡性の樹脂で容器として成形されていて、内容物はその容器へ直接収容される。
【０００３】
【発明が解決しようとする課題】
冷蔵庫等の保冷または保温装置による容器内の内容物の保冷または保温は確実に行なわれる。しかし、かかる内容物を収容せる余裕の大きさ、数、そして形態等が予測つかないため、余裕をもった大型の冷蔵庫が求められる。したがって経費が嵩む。又、一旦冷蔵庫を出た後の取扱い時には、何ら保冷または保温手段がないこととなる。したがって、特定の条件下以外では、不経済で移動性に欠け、手軽さがない。
【０００４】
一方、断熱容器は、この点の問題がなく手軽に使え便利である。冷蔵庫等のように積極的に冷却したり温めたりする能力には欠けるが、一定範囲内での温度変動を許容できるときには簡便である。又、保冷材または保温材を内蔵させておけば、温度変動幅も小さくなり、或る程度の改善も可能となる。
【０００５】
しかしながら、かかる断熱材容器にあっては、内容物が直接容器に収容されるため、内容物が付着したり、臭いが残ったりして、これを完全には除去できない場合が多く、使い捨てとなっている。そのため、リサイクル性に欠ける。又、この容器は強度的にも弱く、他の容器、例えば鋼製ドラム缶等との混載運搬を行なうと部分的に損傷を受け易すく、断熱性の劣化や内容物の漏れ等の問題を生じ易い。また、容器の気密性が悪く、外部との通気により断熱性がやや劣っている。さらに容器洗浄すると吸湿により断熱材が劣化し、この点でもリサイクル性を無くしている。
【０００６】
本発明は、以上の問題を解決し、強度上優れて他の一般容器との混載運搬や洗浄による再使用を可能とし、リサイクル性をもたせ、断熱材の損傷や劣化を阻止できる断熱容器を提供することを目的とする。
【０００７】
【課題を解決するための手段】
本発明によれば、上記目的は、断熱容器が、上部に開口部そして下部に底部を有する金属製の外容器と、内部に密閉自在な収容容器を収容可能な収容空間を有し外周面が外容器の開口部への嵌挿および該開口部からの抜出が可能に形成された主として断熱材から成る内容器と、上記内容器の開口部を封止する主として断熱材から成る内蓋と、外容器の開口部を封止する金属製の外蓋と、該外蓋と外容器とをクランプするクランプ部材とを備えていることにより達成される。
【０００８】
かかる本発明の断熱容器は、主として断熱材から成る内容器が、金属製の外容器内に収められ、さらには、内容器内に収容容器が収められるので、内外から保護されるようになり、強度上十分なものとなる。又、上記外容器、内容器そして収容容器は互に分離可能なので、リサイクル可能であり、一つが損傷してもこれだけを新たなものと交換すれば良いので、経済的にも有利である。
【０００９】
このような本発明の断熱容器において、内容器及び内蓋は少なくとも外側面がシールフィルムで覆われていることとするならば、空気中の水分や洗浄（再使用）時の水分の吸湿による断熱材の材質や断熱性の劣化を防止でき、また、収容容器の内容物が液体であっても、その取扱中に内容器あるいは内蓋の外面に液体が付着しても劣化を防止できる。
【００１０】
このシールフィルムは樹脂であり厚みが１０μｍ以上、３ｍｍ以下であることが好ましく、その樹脂は、ポリエチレン樹脂、ポリプロピレン樹脂、ポリ塩化ビニル樹脂、ポリ酢酸ビニル樹脂、アクリルニトリルブタジエンスチレン共重合樹脂、ポリエステル樹脂、それらのうちの一つの変性樹脂または発泡樹脂による単層膜、または二種以上から成る複層膜とすることができる。
【００１１】
上記内容器は収容空間を形成する内側面が補強材で覆われていることとすれば、単独での取扱中の補強を図れる。同様に、内蓋も表面の少なくとも一部が補強材で覆われていることができ、その場合、１ｍｍ以下では強度的に問題があり、５ｍｍ以上では内容器が大きくなり、不経済である。このため補強材の厚みは１ｍｍ以上、５ｍｍ以下であるのが好ましい。
【００１２】
上記内蓋はプラスチック材で成形された内部に断熱材が封入されている形態とすることもできる。
【００１３】
内容器そして内蓋に用いられる断熱材は、発泡ポリウレタン、発泡ポリスチレン、発泡ポリエチレン、発泡ポリプロピレン、発泡ポリ塩化ビニル、発泡アクリルニトリルブタジエンスチレン共重合体、発泡フェノール樹脂のうちの一つとすることができる。
【００１４】
又、補強材はポリエチレン樹脂、ポリプロピレン樹脂、ポリ塩化ビニル樹脂、アクリルニトリルブタジエンスチレン共重合樹脂、それらのうちの一つの変性樹脂又は発泡樹脂より成る単層材、または二種以上から成る複層材とすることができる。
【００１５】
さらには、断熱容器の保冷温能力を向上させるために、内蓋は内側面に保冷温材を収容するための収容部が形成されているとすると具合が良い。又、内容器の外部への取出しを容易とするために掴み手段が該内容器の上部に設けられていると好都合である。さらには、上記内容器の取出し、そして挿入を容易とするには、外容器は該外容器内外間の空気の流通のための通気口が底部に設けられているのが良い。そうすれば、内容器の取出し時には、通気口から空気を圧送して該内容器を上方へ押し出し、又内容器の挿入時には通気口から外容器底部を内容器底部間の空気を吸引して挿入が容易となる。ただし、この通気口は、断熱容器の実用時には、外容器外側からの内容器側への外気の通気による断熱性の劣化を防止するために、口栓で閉じられているのが好ましい。
【００１６】
【発明の実施の形態】
以下、添付図面にもとづき、本発明の実施の形態を説明する。
【００１７】
図１は本発明の断熱容器の縦断面図を示し、各部材が組立途中にある分離状態で示されている。
【００１８】
図１において、符号１は金属製で上方に開口せる外容器であり、例えば鋼製ドラム缶である。しかし、この外容器１は鋼製ドラム缶に限定されず、金属製の容器ならば十分であり、その外形に限定はない。該外容器１は上部の開口部周縁に、後述する外蓋のクランプのための巻込部２が形成されている。
【００１９】
上記外容器１内には、内容器３が取出し可能に収容されるようになっている。該内容器３は主として断熱材から成る有底の筒体４として形成されており、本実施形態では好ましい例として、外側面にシールフィルム５が、そして内側面に薄い補強材６が設けられている。上記内容器３は開口テーパ部３Ａ、段状の受部３Ｂそして、若干のテーパ状の起立部３Ｃを開口部に有している。
【００２０】
上記有底の筒体４を構成する断熱材は、発泡ポリウレタン、発泡ポリスチレン、発泡ポリエチレン、発泡ポリプロピレン、発泡ポリ塩化ビニル、発泡アクリルニトリルブタジエンスチレン共重合体、発泡フェノール樹脂のうちの１種または２種以上から成るとすることができる。
【００２１】
又、上記シールフィルムは、樹脂で厚みを１０μｍ以上、２ｍｍ以下とすることが好ましく、その樹脂は、ポリエチレン樹脂、ポリプロピレン樹脂、ポリ塩化ビニル樹脂、ポリ酢酸ビニル樹脂、アクリルニトリルブタジエンスチレン共重合樹脂、ポリエステル樹脂、それらのうちの一つの変性樹脂または発泡樹脂による単層膜、または二種以上から成る複層膜とすることができる。
【００２２】
さらに、上記補強材は、樹脂でその厚みが１ｍｍ以上、５ｍｍ以下であることが好ましく、補強材はポリエチレン樹脂、ポリプロピレン樹脂、ポリ塩化ビニル樹脂、アクリルニトリルブタジエンスチレン共重合樹脂、それらのうちの一つの変性樹脂又は発泡樹脂より成る単層材、または二種以上から成る複層材とすることができる。
【００２３】
かかる内容器３の内部には、収容容器７が取出し自在に収容されるようになっている。該収容容器７は内容物を直接収容する容器であり、その形態、材質には限定はないが、或る程度の強度、例えば上記内容器３の断熱材よりも高い強度を有していることが内容器３の保護の面から望まれる。例えば、プラスチック材あるいは金属製の容器とすることができる。本実施形態では、上記収容容器７は、天板７Ａを有し金属製で該天板７Ａに設けられた口金にキャップ７Ｂが冠着されるものとなっているが、天蓋（板）が開閉可能で、クランプ部材で密閉固定されたオープン缶でも良い。
【００２４】
内蓋８は、円板状の断熱材９の下面（内容器３に対向する内側面）に補強材１０、上面（外側面）にシールフィルム１１が施されている。該補強材１０そしてシールフィルム１１は、上記内容器３に採用可能な材料からそれぞれ選択して用いることができる。該内蓋８は上記内容器３の開口部の形状、すなわち開口テーパ部３Ａ、受部３Ｂそして起立部３Ｃと適合する下面形状をなし、収容容器７を内容器３内に収容した後に該内蓋８を装着したときには、該内蓋８の下面が収容容器７の上面と軽く接するかもしくは若干の隙間を形成する程度となっている。
【００２５】
外蓋１２は金属板から成っており、周縁に既述した外容器１の巻込部２に重なるような曲弯部１２Ａが形成されている。
【００２６】
クランプ部材１３は、上記外容器１上に外蓋１２が配置されて重なった巻込部２と曲弯部１２Ａを上下から挟みこみ、図示せぬレバーバンドまたはボルトバンド等によって両者を挟持する形態となっている。このクランプ部材１３自体は公知のもので十分である。
【００２７】
かかる本実施形態の断熱容器は、例えば次の要領で使用される。
【００２８】
図２に示されるように、予め外容器１に収められた内容器３に収容容器７を収める。勿論、収める順序は逆でもよい。すなわち、内容物が収容されている収容容器７を内容器３に収め、これを外容器１内に収めることができる。
【００２９】
しかる後、内蓋８、外蓋１２の順に装着し、最後にクランプ部材１３により、外容器１と外蓋１２とをクランプする。
【００３０】
こうすることにより、内容物は収容容器７と、外容器１と内容器３によりにより完全に包囲され、そのまま保冷あるいは保温される。主として断熱材より成る内容器３は、内容物が液体、特に薬品等であっても外側面のシールフィルム５そして内側面の補強材６により保護されているので、空気中の水分の吸湿や取扱時にかかる液体の付着や容器洗浄時の洗浄水が付着しても内容器３は劣化することはない。又、補強材６により、収容容器７の収容の取出し時における衝突によっても損傷することもない。これは、内蓋８についても同様である。
【００３１】
上記の内容器３はその外径寸法によっては外容器から取出しにくいこともある。これに対処するには、内容器３の上部に該内容器３の外部への取出しのための掴み手段（図示せず）を設けることが望まれる。この掴み手段としては、フラップあるいは把手さらには係止窪み部とすることができる。
【００３２】
又、保冷・保温をさらに確実ならしめるには、収容容器７の天板７Ａ上に、図２のごとく、保冷保温材１４を配し、内蓋８の内側面に上記保冷保温材１４を収める空間を収容部１５として形成しておくこととするのが良い。
【００３３】
さらには、外容器１に対する内容器３の取出しを容易にするためには、該外容器１内外間の空気の流通のための通気口（図示せず）が底部に設けられているのがよい。こうすることにより、内容器３の取出し時には、外部から上記通気口を通して空気を圧送して該内容器３の底部を押し上げ、内容器３の収容時には、外部へ空気を引き出すことにより内容器３と外容器１のそれぞれの底部の間の空気圧を負圧として内容器３を下方に移動させ易くする。
【００３４】
本発明は、図１，図２に図示された以外にも変形可能である。例えば、内蓋８は、図３のごとく、適宜プラスチック８で形成し、その内部に断熱材８Ｂを封入した形態とすることもできる。
【００３５】
【発明の効果】
本発明は、以上のごとく、外容器、内容器そして収容容器を別途形成し、順次、取外し可能に収めて使用することとしたので、リサイクル使用が可能であり、又、いずれかが損傷したときには、それだけを交換すれば良いので、きわめて経済的効果が大きい。
【００３６】
又、内容器、内蓋にシールフィルムを設けることとすれば、内容物が薬液等の液体であったときでも、この液体の付着による劣化、また、取扱い時の空気中水分の吸湿や、洗浄時の洗浄水の付着による劣化を防止できる。そして、補強材を設けることとすると、内容器に収容容器を収めたとき、あるいはそれ単独での取扱い時での強度を高められ、取扱い易くなるという利点も得られる。
【００３７】
さらに、内容器は外容器により、保護されているため、一般容器での混載運搬が可能である。
【図面の簡単な説明】
【図１】本発明の断熱容器の縦断面図を示し、各部材が組立途中の分離状態にある。
【図２】図１のものにおいて、収容容器、内容器が外容器内に収められたときの状態を示す。
【図３】内蓋の他の形態を示す断面図である。
【符号の説明】
１  外容器
３  内容器
４  断熱材（筒体）
５  シールフィルム
６  補強材
７  収容容器
８  内蓋
９  断熱材
１０  補強材
１１  シールフィルム
１２  外蓋
１３  クランプ部材
【図１】
0004136039.tif 000002
【図２】
0004136039.tif 000003
【図３】
0004136039.tif 000004